【事件の表示】
　上記当事者間の登録第３２２７１２７号商標の商標登録無効審判事件について、次のとおり審決する。
【結　論】
　登録第３２２７１２７号商標の指定商品中「被服，ガーター，靴下止め，ズボンつり，バンド，ベルト，靴類（但し、「靴合わせくぎ・靴くぎ・靴の引き手・靴びょう・靴保護金具」を除く。），運動用特殊被服，運動用特殊靴（「乗馬靴」を除く。）」についての登録を無効とする。
　その余の指定商品についての審判請求は成り立たない。
　審判費用は、被請求人の負担とする。
【理　由】
１　本件商標
　本件登録第３２２７１２７号商標（以下、「本件商標」という。）は、平成５年１２月８日に登録出願、商標の構成を片仮名文字及び欧文字とを上下二段に「サンタ　マリア」及び「ＳＡＮＴＡ ＭＡＲＩＡ」と横書きし、指定商品を第２５類「被服、ガーター、靴下止め、ズボンつり、バンド、ベルト、履物、運動用特殊衣服、運動用特殊靴」として、平成８年１１月２９日に設定の登録がされたものである。
　
２　引用商標
　請求人が、本件商標の登録無効の理由に引用する登録第３９４４０５号（以下、「引用商標」という。）は、昭和２４年１月１日に登録出願、商標の構成を別掲に表示したとおりの構成とし、指定商品を第３６類「メリヤス製品、その他本類に属する商品」として、昭和２５年１２月１日に設定登録、その後、４回に亘り商標権存続期間の更新登録がなされているものである。
　
３　請求人の主張
　請求人は、結論同旨の審決を求めると申し立て、その理由を要旨次のように述べ、証拠方法として甲第１号証ないし甲第６号証を提出している。
（１）請求の理由
　本件商標と引用商標との類否について考察するに、まず、両者の構成中の欧文字及び外来語について、各辞典の記載は以下のとおりである。
（イ）「サンタ［ｓａｎｔａ］」
　ａ）聖なるの意。キリスト教で聖人の列に加えられた人の名に冠することば。　ｂ）サンタ・クロース。
（ロ）「セント［ｓａｉｎｔ］」
　聖者、聖徒。特に名に冠して用いる。セイント、サント、サン、サンタなどとも
（三省堂刊「コンサイス外来語辞典（第４版）」第３６８頁「サンタ」及び第５１１頁「セント」の各項写：甲第５号証の１及び２）。
（ハ）「マリア［Ｍａｒｉａ］」
　ａ）イエスの母。夫ヨセフと婚約中、天使が現れ神の力によって救い主を生むべき旨を告げられ、イエスを生んだという。童貞マリア。サンタ・マリア。聖母マリア。　ｂ）（以下略）（岩波書店刊「広辞苑（第５版）」第２２９頁「マリア」の項写：甲第６号証）
（ニ）上記の事実、すなわち「ＳＡＮＴＡ」と「ＳＡＩＮＴ」が同義語であり、「イエスの母」を指称する語が「サンタ・マリア」であり、「聖母マリア」であるという事実に徴すれば、本件商標からは「サンタマリア」の称呼とともに「聖母マリア」の観念が生じることは当然であり、一方、引用商標からは構成別掲のとおりの文字と図形に対応して「セントマリア」の称呼とともに「聖母マリア」の観念が生じることも、当然である。
　したがって、本件商標と引用商標とは、「サンタマリア」と「セントマリア」という称呼上の類否を論及するまでもなく、当然、生じる「聖母マリア」という観念において相紛れるおそれのある類似の商標である。また、指定商品についても、両者が抵触関係にあることは明らかである。
　したがって、本件商標は、商標法第４条第１項第１１号に該当していたにも拘わらず、これに違反して登録されたものであるから、同法第４６条第１項の規定により無効にさるべきものである。
　
４　被請求人の答弁
　被請求人は、「本件審判の請求は成り立たない、審判費用は請求人の負担とする、との審決を求める。」と答弁し、その理由を要旨次のように述べ、証拠方法として乙第１号証及び乙第２号証を提出している。
　答弁の理由
　本件商標と引用商標とを称呼上から比較すると、引用商標中「ＳＡＩＮＴ」は、乙第１号証及び乙第２号証にも記載されているとおり、「セント」または「セイント」であって、「サン」ではない。そして、両商標より生ずる「サンタマリア」と「セントマリア」の称呼とを比較するに、称呼上、最も強い印象を受ける第１音において「サ」と「セ」の相違があり、また第３音の「タ」と「ト」においても大きな相違点があるから、両商標は称呼上明確に相違するといわざるを得ない。
　
５　当審の判断
（１）本件商標は、上記のとおり「サンタ　マリア」及び「ＳＡＮＴＡ ＭＡＲＩＡ」の文字よりなるところ、請求人提出に係る「コンサイス外来語辞典」（株式会社三省堂発行：甲第５号証）の見出し語「サンタ［ポｓａｎｔａ］」の解説によれば「『聖なる』の意．キリスト教で聖人の列に加えられた人の名に冠することば．〈室〉→セント．」旨、同じく見出し語「セント 2［ｓａｉｎｔ］・・・」の解説によれば「聖者．聖徒．特に名に冠して用いる．セイント，サント，サン，サンタなどとも．・・・」旨、及び「広辞苑」（株式会社岩波書店発行：甲第６号証）の見出し語「マリア［Ｍａｒｉａ］」の解説によれば、「イエスの母。・・・サンタ・マリア。聖母マリア。・・・」旨の各記述がなされているものであり、一般世人においても、すなわち「サンタ」及び「ＳＡＮＴＡ」の文字（語）は、「セント（ｓａｉｎｔ）」の語と同様に「聖人の名に冠することば」として、また、「マリア」及び「ＭＡＲＩＡ」の文字（語）は、「イエスの母、聖母マリア（サンタマリア）」を指称するものとしてそれぞれ理解され広く知られている文字（語）とみて差し支えないものである。
　そうすると、「サンタ　マリア」及び「ＳＡＮＴＡ ＭＡＲＩＡ」の各文字を二段に書してなる本件商標よりは、「聖母マリア」（サンタマリア）の観念・称呼を生ずるものというのが自然である。
（２）これに対し、引用商標は、別掲に示したとおり、図形と文字の組み合わせてなるところ、該図形は宗教画にみられるところの聖母マリアを描いたものと容易に看取させ、また、上段の「ＳＡＩＮＴ　ＭＡＲＩＡ」の文字は、「セントマリア」と読まれ、甲各号証の解説からして「聖母マリア」を認識、理解させるから、引用商標よりは、「聖母マリア」（セントマリア）の観念・称呼を生ずるものといわなければならない。
（３）してみれば、本件商標と引用商標とは、「聖母マリア」の観念を同じくする類似の商標というべきものである。
　そして、本件商標より生ずる「サンタマリア」の称呼と引用商標より生ずる「セントマリア」の称呼とは、語頭音が「サ」と「セ」及び第３音目が「タ」と「ト」と相違するとしても、該差異音はいずれも「サ行」及び「タ行」の同行音に属する音であり、また、「サンタ」及び「セント」の文字（語）が上述のとおりの同義の語として把握されるものであって、かつ、共に後半部の「マリア」の称呼よりは「聖母マリア」を認識し、これが強く印象付けられ聴取されることも相まって、該差異が称呼全体に及ぼす影響はそれ程大きいものとはいい得ず、両者は全体の語調、語感が近似し、彼此相紛れるおそれが少なくない。
（４）したがって、本件商標と引用商標とは、外観の差異を考慮してもなお、上記の観念を共通にするばかりでなく、称呼においても相紛らわしい類似の商標と判断するのが相当であって、また、本件商標の指定商品中「被服，ガーター，靴下止め，ズボンつり，バンド，ベルト，靴類（但し、「靴合わせくぎ・靴くぎ・靴の引き手・靴びょう・靴保護金具」を除く。），運動用特殊被服，運動用特殊靴（「乗馬靴」を除く。）」と引用商標の指定商品とは、同一又は類似のものである。
　結局、本件商標は、上記商品について、商標法第４条第１項第１１号に違反して登録されたものであるから、同法第４６条第１項の規定により、その登録を無効とすべきである。
　よって、結論のとおり審決する。